【手続補正書】
【提出日】平成28年9月6日(2016.9.6)
【手続補正１】
【補正対象書類名】明細書
【補正対象項目名】００７６
【補正方法】変更
【補正の内容】
【００７６】
本発明の範囲及び趣旨から逸脱することなく本発明に予測可能な改変及び変更を行い得ることは当業者には明らかであろう。本発明は、説明を目的として本出願に記載される実施形態に限定されるべきではない。本明細書と参照により本明細書に援用する開示との間に不一致又は矛盾が存在する場合、本明細書を優先する。
以下に、本願発明に関連する発明の実施形態について列挙する。
［実施形態１］
部分フッ素化ポリマー分散体を製造する方法であって、
重合性フッ素化乳化剤の存在下にて水性乳化重合で１種又は２種以上のフッ素化モノマーを重合させて部分フッ素化ポリマーを形成することを含み、前記重合性フッ素化乳化剤が、式：
Ｘ２Ｃ＝ＣＸ（ＣＦ２）ｍ（ＣＨ２）ｎ［Ｏ−（ＣＸ２）ｐ］ｑ−［Ｏ−（ＣＸ２）ｒ］ｓ−［Ｏ−（ＣＸ２−ＣＸ２）］ｔ−［（Ｏ）ｗ−（ＣＸ２）ｕ］ｖ−［ＣＨ２］ｚ−Ｙ
（式中、Ｘは、独立して、Ｈ、Ｆ、又はＣＦ３から選択され；Ｙは、ＣＯＯＭ又はＳＯ３Ｍであり、Ｍは、Ｈ、アルカリ金属、又はＮＨ４であり、ｍは、０〜５であり、ｎは、０〜５であり、ｐは、少なくとも１であり、ｑは、０〜５であり、ｒは、０〜５であり、ｓは、０〜５であり、ｔは、０〜５であり、ｕは、０〜５であり、ｖは、０〜５であり、ｗは、０又は１であり、ｚは、０〜５であり；ｍ、ｎ、ｑ、ｓ、ｔ、ｕ、ｖ、及びｚのうちの少なくとも１つは、少なくとも１である）を有し、前記重合性フッ素化乳化剤が、（ａ）少なくとも１つのフッ素原子を含み且つ（ｂ）用いられるモノマーの総重量に基づいて１重量％未満であり、前記部分フッ素化ポリマーが、５０モル％未満のフッ化ビニリデンを含む、方法。
［実施形態２］
前記重合性フッ素化乳化剤が、過フッ素化されている、実施形態１に記載の方法。
［実施形態３］
前記重合性フッ素化乳化剤が、テロゲン活性を実質的に有しない、実施形態１に記載の方法。
［実施形態４］
前記重合性フッ素化乳化剤が、
ＣＦ２＝ＣＦ−（ＣＦ２）ｍ−Ｏ−（ＣＦ２）ｐ−［Ｏ−（ＣＦ２）ｒ］ｓ−Ｙ （ＩＩ）
ＣＦ２＝ＣＦ−（ＣＦ２）ｍ−Ｏ−（ＣＦ２）ｐ−［Ｏ−（ＣＦ（ＣＦ３）−ＣＦ２）］ｔ−［Ｏ−ＣＦ（ＣＦ３）］ｖ−Ｙ （ＩＩＩ）；及び
ＣＸ２＝ＣＸ−（ＣＦ２）ｍ−Ｙ （ＩＶ）からなる群から選択され、
式中、Ｘは、独立して、Ｈ、Ｆ、又はＣＦ３から選択され；Ｙは、ＣＯＯＭ又はＳＯ３Ｍであり、ｍは、０〜５から選択される整数であり、ｐは、少なくとも１であり、ｒは、０〜５から選択される整数であり、ｓは、１〜５から選択される整数であり、ｔは、１〜５から選択される整数であり、ｖは、１〜５から選択される整数であり、Ｍは、Ｈ、アルカリ金属、又はＮＨ４である、実施形態１に記載の方法。
［実施形態５］
前記重合が、非テロゲン乳化剤を実質的に含まない、実施形態１〜４のいずれか一項に記載の方法。
［実施形態６］
前記重合が、非テロゲンフッ素化乳化剤を実質的に含まない、実施形態１〜５のいずれか一項に記載の方法。
［実施形態７］
前記重合性フッ素化乳化剤が、重合全体を通して添加される、実施形態１〜６のいずれか一項に記載の方法。
［実施形態８］
前記重合性フッ素化乳化剤の量が、用いられる過フッ素化モノマーの量に基づいて、少なくとも５０ｐｐｍ且つ５０００ｐｐｍ以下である、実施形態１〜７のいずれか一項に記載の方法。
［実施形態９］
前記重合性フッ素化乳化剤が、水性マイクロエマルションの形態で提供される、実施形態１〜８のいずれか一項に記載の方法。
［実施形態１０］
前記部分フッ素化ポリマーが、（ｉ）テトラフルオロエチレンとヘキサフルオロプロピレンとフッ化ビニリデンの重合モノマー；（ｉｉ）テトラフルオロエチレンとヘキサフルオロプロピレンとフッ化ビニリデンの重合モノマー、並びに、ペルフルオロアルコキシアルケン、ペルフルオロアルキルビニルエーテル、ペルフルオロアルコキシビニルエーテル、エチレン、プロピレン、及びこれらの組み合わせから選択されるモノマー；を含む、実施形態１〜９のいずれか一項に記載の方法。
［実施形態１１］
前記部分フッ素化ポリマー分散体が、３０％未満のポリマー固形分を含む、実施形態１〜１０のいずれか一項に記載の方法。
［実施形態１２］
水性混合物であって、
フッ素化モノマーと、
Ｘ２Ｃ＝ＣＸ（ＣＦ２）ｍ（ＣＨ２）ｎ［Ｏ−（ＣＸ２）ｐ］ｑ−［Ｏ−（ＣＸ２）ｒ］ｓ−［Ｏ−（ＣＸ２−ＣＸ２）］ｔ−［（Ｏ）ｗ−（ＣＸ２）ｕ］ｖ−［ＣＨ２］ｚ−Ｙ
（式中、Ｘは、独立して、Ｈ、Ｆ、又はＣＦ３から選択され；Ｙは、ＣＯＯＭ又はＳＯ３Ｍであり；ｍは、０〜５であり、ｎは、０〜５であり、ｐは、少なくとも１であり、ｑは、０〜５であり、ｒは、０〜５であり、ｓは、０〜５であり、ｔは、０〜５であり、ｕは、０〜５であり、ｖは、０〜５であり、ｗは、０又は１であり、ｚは、０〜５であり；ｍ、ｎ、ｑ、ｓ、ｔ、ｕ、ｖ、及びｚのうちの少なくとも１つは、少なくとも１であり；Ｍは、Ｈ、アルカリ金属、又はＮＨ４である）から選択される重合性フッ素化乳化剤との重合生成物を含み、得られるポリマーが、５０モル％未満のフッ化ビニリデンを含み、前記水性混合物が、非テロゲンフッ素化乳化剤を実質的に含まない水性混合物。
［実施形態１３］
３０％未満のポリマー固形分を含む、実施形態１２に記載の水性混合物。
［実施形態１４］
部分フッ素化ポリマーを含むポリマーであって、前記部分フッ素化ポリマーが、非重合性フッ素化乳化剤を実質的に含まない、ポリマー。
【手続補正２】
【補正対象書類名】特許請求の範囲
【補正対象項目名】全文
【補正方法】変更
【補正の内容】
【特許請求の範囲】
【請求項１】
部分フッ素化ポリマー分散体を製造する方法であって、
重合性フッ素化乳化剤の存在下にて水性乳化重合で１種又は２種以上のフッ素化モノマーを重合させて部分フッ素化ポリマーを形成することを含み、前記重合性フッ素化乳化剤が、式：
Ｘ２Ｃ＝ＣＸ（ＣＦ２）ｍ（ＣＨ２）ｎ［Ｏ−（ＣＸ２）ｐ］ｑ−［Ｏ−（ＣＸ２）ｒ］ｓ−［Ｏ−（ＣＸ２−ＣＸ２）］ｔ−［（Ｏ）ｗ−（ＣＸ２）ｕ］ｖ−［ＣＨ２］ｚ−Ｙ
（式中、Ｘは、独立して、Ｈ、Ｆ、又はＣＦ３から選択され；Ｙは、ＣＯＯＭ又はＳＯ３Ｍであり、Ｍは、Ｈ、アルカリ金属、又はＮＨ４であり、ｍは、０〜５であり、ｎは、０〜５であり、ｐは、少なくとも１であり、ｑは、０〜５であり、ｒは、０〜５であり、ｓは、０〜５であり、ｔは、０〜５であり、ｕは、０〜５であり、ｖは、０〜５であり、ｗは、０又は１であり、ｚは、０〜５であり；ｍ、ｎ、ｑ、ｓ、ｔ、ｕ、ｖ、及びｚのうちの少なくとも１つは、少なくとも１である）を有し、前記重合性フッ素化乳化剤が、（ａ）少なくとも１つのフッ素原子を含み且つ（ｂ）用いられるモノマーの総重量に基づいて１重量％未満であり、前記部分フッ素化ポリマーが、５０モル％未満のフッ化ビニリデンを含む、方法。
【請求項２】
水性混合物であって、
フッ素化モノマーと、
Ｘ２Ｃ＝ＣＸ（ＣＦ２）ｍ（ＣＨ２）ｎ［Ｏ−（ＣＸ２）ｐ］ｑ−［Ｏ−（ＣＸ２）ｒ］ｓ−［Ｏ−（ＣＸ２−ＣＸ２）］ｔ−［（Ｏ）ｗ−（ＣＸ２）ｕ］ｖ−［ＣＨ２］ｚ−Ｙ
（式中、Ｘは、独立して、Ｈ、Ｆ、又はＣＦ３から選択され；Ｙは、ＣＯＯＭ又はＳＯ３Ｍであり；ｍは、０〜５であり、ｎは、０〜５であり、ｐは、少なくとも１であり、ｑは、０〜５であり、ｒは、０〜５であり、ｓは、０〜５であり、ｔは、０〜５であり、ｕは、０〜５であり、ｖは、０〜５であり、ｗは、０又は１であり、ｚは、０〜５であり；ｍ、ｎ、ｑ、ｓ、ｔ、ｕ、ｖ、及びｚのうちの少なくとも１つは、少なくとも１であり；Ｍは、Ｈ、アルカリ金属、又はＮＨ４である）から選択される重合性フッ素化乳化剤との重合生成物を含み、得られるポリマーが、５０モル％未満のフッ化ビニリデンを含み、前記水性混合物が、非テロゲンフッ素化乳化剤を実質的に含まない水性混合物。
【請求項３】
部分フッ素化ポリマーを含むポリマーであって、前記部分フッ素化ポリマーが、非重合性フッ素化乳化剤を実質的に含まない、ポリマー。